(57)【要約】      （修正有）【課題】スペースをあまり占めないような情報表示デバイス用のバックライトモジュールを有する計時器を提供する。【解決手段】デジタル情報表示デバイス４と、及びこのデジタル情報表示デバイス４の下に配置されたバックライトモジュール２とを有する計時器であって、このバックライトモジュール２は、少なくとも１つの光ガイド６を有し、この光ガイド６には、光源が発生させた光が入射され、バックライトモジュール２は、当該計時器の少なくとも１つの計時部品を受ける計時器プレート１に直接マウントされている。【選択図】図１
0003200536.tif 000002
【実用新案登録請求の範囲】
【請求項１】
デジタル情報表示デバイス（４）と、及びこのデジタル情報表示デバイス（４）の下に配置されたバックライトモジュール（２）とを有する計時器であって、
このバックライトモジュール（２）は、少なくとも１つの光ガイド（６）を有し、この光ガイド（６）には、光源が発生させた光が入射され、
前記バックライトモジュール（２）は、当該計時器の少なくとも１つの計時部品を受ける計時器プレート（１）に直接マウントされている
ことを特徴とする計時器。
【請求項２】
前記光ガイド（６）は、反射性フィルム（１６）が接合される下側表面（６Ａ）と、及び拡散性フィルム（１８）が接合される上側表面（６Ｂ）とを有する
ことを特徴とする請求項１に記載の計時器。
【請求項３】
前記光源は、ＬＥＤ細長片（８）である
ことを特徴とする請求項２に記載の計時器。
【請求項４】
前記ＬＥＤ細長片（８）が発生させる光は、前記光ガイド（６）の全体にわたって伝搬し、かつ、前記光ガイド（６）の前記上側表面（６Ｂ）に少なくとも配置された抽出構造体（２０）によって前記光ガイド（６）から抽出される
ことを特徴とする請求項３に記載の計時器。
【請求項５】
前記プレート（１）の下側に、プリント回路基板（３０）がマウントされている
ことを特徴とする請求項１〜４のいずれかに記載の計時器。
【請求項６】
前記プリント回路基板（３０）は、下側面（２８）上に、デジタル情報表示デバイス（４）のための電子制御回路（２６）を支えている
ことを特徴とする請求項５に記載の計時器。
【請求項７】
前記デジタル情報表示デバイス（４）は、液晶表示セルである
ことを特徴とする請求項６に記載の計時器。
【請求項８】
前記プレート（１）に配置されたハウジング（１４）内に、電気エネルギー源が収容されている
ことを特徴とする請求項１〜７のいずれかに記載の計時器。
【考案の詳細な説明】
【技術分野】
【０００１】
本考案は、情報表示デバイス用のバックライトモジュールを有する計時器に関する。本考案は、特に、腕時計のような携行可能な物と一体となっている、例えば、液晶表示タイプのデバイスである情報表示デバイスをバックライトで照らすように意図されたバックライトデバイスに関する。
【背景技術】
【０００２】
長い間にわたって、デジタル情報表示デバイスを備える腕時計又は移動体電話のような携行可能な物が知られている。デジタル情報表示デバイスの１つの例は、液晶表示セルを備えるものである。このような液晶表示セルは、通常、観察者の側に面している前側基板と、及び前側基板と平行に、かつ、離れて延在する背面基板とを有する。これらの前側基板と背面基板は、液晶を収容する閉空間の限界を定める封止枠によって互いにつながれている。伝統的に、前側基板と背面基板の対向する表面上では、電極及びこれらに対応する対向電極のセットが配置されている。適切な電圧を与えることによって、選択された電極及び対向電極の間の交差する点において液晶の光学的性質を変更して、情報を表示することができる。
【０００３】
表示される情報を読みやすくするためにデジタル情報表示デバイスを照らす必要性が、非常に早い段階で感じられている。この必要性に応える基本的な解決策は、表示装置の表面の下に点光源を置くことを伴う。この解決策は、実装が簡単で低コストであるという主な利点を有する。しかし、この解決策には、表示面の照明が均質ではないという課題がある。実際に、情報表示デバイスによって光源が部分的に覆われていても、情報表示デバイスが占める位置のまわりの光の放射によってハローが発生し、これは外部から表示素子を通り抜けて目に見える。
【０００４】
この課題を克服するために、バックライトモジュールを情報表示デバイスの表面の下に配置することが提案されている。このようなバックライトモジュールは、通常、光ガイドを有し、これには、プリント回路基板上にマウントされた光源が発する光が入射される。バックライトモジュールは、下側面上に反射性フィルム、そして、上側面上に拡散性フィルムを有する。
【０００５】
このようなバックライトモジュールの主な利点は、情報表示デバイスの表示面の照明を均質にすることができるということである。実際に、光源が発生させた光は、光ガイドに入射され、光ガイドの全体にわたって伝搬する。この光は、光ガイドの表面で配置している光抽出器によって光ガイドから抽出され、そして、反射性フィルム及び拡散性フィルムによって情報表示デバイスの全表面にわたって均質に分配される。
【０００６】
このようなバックライトモジュールは、あらかじめ組み立てられた素子の形態で供給業者から購入される。これらのモジュールは高コストであり、より重要なことには、多くのスペースを占める。実際に、これらのバックライトモジュールの様々な部品は、フレームの内部で組み立てられる。より詳細には、反射性フィルム及び拡散性フィルムが、両面接着体によって光ガイドの両側にそれぞれ固定され、そして、このようにカバーされた光ガイドとプリント回路基板が、プラスチックスタッドを溶かすことによってフレームに熱溶接され、これによって、このモジュールの厚みが増える。その後、腕時計ケースなどの中に収容するために、バックライトモジュールをプレート上に熱溶接することが必要である。これによって、厚みがさらに増える。
【０００７】
本考案に関連する範囲内においては、用語「プレート」は、計時器においては、ブリッジ又は棒及びムーブメントの様々な部品を支持するプレートを意味する（Illustrated Professional Dictionary of Horology I+II 2002 Editionを参照）。
【０００８】
このようなバックライトデバイスの一例が、欧州特許出願ＥＰ１５６６６８７Ａ１に記載されている。フレームの形をしているスペーサーは、プリント回路基板のエッジに接する足によってプリント回路基板に取り外し可能なようにマウントされている。スペーサーの外側にあるコンパートメントが、発光ダイオードを収容するように設けられている。スペーサー枠は、さらに、第１の内側フランジを有し、その第１のフランジの側壁に２つの可撓性フィンガーが設けられている。第１のフランジの支持面と２つの可撓性フィンガーの間には、反射器及び光ガイドディスクが保持されている。スペーサーは、さらに、第２の内側フランジを有し、これに対向して当接するように、拡散性フィルムがタングによって配置されている。次に、拡散性フィルムに当接するように第２のフィルムが配置されており、これもタングによって適所に保持される。この方法では、光を透過及び反射する素子はすべて、プリント回路基板上で組み立てられるスペーサー内で保持され、このプリント回路基板上には発光ダイオードも固定される。
【０００９】
なお、光を透過及び反射する素子、プリント回路基板及び発光ダイオードがすべてスペーサーにマウントされた後に、これによって形成されるモジュールを、計時器のプレートにマウントしなければならない。このことは、高コストであり、さらに重要なことには、多くのスペースを占めてしまう。実際に、スペーサーを計時器プレートにマウントすることによって発生する厚みの増加を考慮に入れる必要性が発生する。
【考案の概要】
【考案が解決しようとする課題】
【００１０】
本考案は、これらの課題を克服し、計時器と一体化してもスペースをあまり占めないような情報表示デバイス用のバックライトアセンブリーを提供することなどを目的とする。
【課題を解決するための手段】
【００１１】
このために、本考案は、デジタル情報表示デバイスと、及びこのデジタル情報表示デバイスの下に配置されたバックライトモジュールとを有する計時器であって、このバックライトモジュールは、少なくとも１つの光ガイドを有し、この光ガイドには、光源が発生させた光が入射され、前記バックライトモジュールは、当該計時器の少なくとも１つの計時部品を受ける計時器プレートに直接マウントされているものに関する。
【００１２】
これらの特徴の結果、本考案は、デジタル情報表示デバイスをバックライトで照らすモジュールが、計時器プレートに直接マウントされ、この計時器プレートが、腕時計用ムーブメントの少なくとも１つの部品も受けるような計時器を提供する。再び記載すると、本出願に関連する意味においては、用語「プレート」は、計時器においてブリッジ又は棒及びムーブメントの様々な部品を支持するプレートを意味する（Illustrated Professional Dictionary of Horology I+II 2002 Editionを参照）。したがって、バックライトデバイスを腕時計のプレートに直接マウントするという本考案による教示によって、購入することが高価であって、より重要なことには、計時器用ムーブメントのプレートにマウントされる際により多くのスペースを占めて厚みを増加させるような別個のアセンブリーの必要性をなくすことができる。
【００１３】
本考案に係るバックライトアセンブリーの一実施形態についての下記の詳細な説明から、本考案の他の特徴及び利点をより明白に理解することができるであろう。この実施形態は、添付図面を参照して説明する単なる例であって、これに限定されるものではない。
【図面の簡単な説明】
【００１４】
【図１】デジタル情報デバイスのバックライトモジュールがマウントされている計時器用ムーブメントのプレートについての斜視分解図である。
【図２】図１のプレートについての拡大斜視図である。
【図３】図１の計時器用ムーブメントのプレートについての下側からの斜視図である。
【考案を実施するための形態】
【００１５】
本考案は、別個のあらかじめ組み立てられた部品の形態でバックライトモジュールを供給業者から購入するのではなく、バックライトモジュールを計時器用ムーブメントのプレートに直接マウントすることを伴う創造性のある考えから発展したものである。実際に、このようなあらかじめ組み立てられた部品は、通常、様々な部品がフレームに適所にマウントされ保持されるようなバックライトモジュールから作られ、これには、計時器のプレートにおけるアセンブリーが必要となる。したがって、この手法は、高コストであり、多くのスペースを占める。なぜなら、フレーム内に照明モジュール部品を固定する手段だけでなく、入手したアセンブリーをプレート内に固定する手段を必要とするからである。この点において、当業者は、腕時計ケースにマウントされるバックライトアセンブリーを別個の要素であると常に考えており、バックライトモジュールの部品を腕時計プレートに直接マウントすることを思い描いたことはない。本考案は、このような当業者の実務からは思い浮かばないものである。
【００１６】
以下の説明において、「上側」は、観察者の側に位置するものすべてのものを指し、「下側」は、観察者の側とは反対側に位置するすべてのものを指す。
【００１７】
図１及び２は、本考案に係る計時器用ムーブメントのプレートについての分解された状態における斜視図である。このプレート１は、液晶表示セルのようなデジタル情報表示デバイス４のバックライトモジュール２を受けるように意図されている。図に示す例において、プレート１は実質的に円形である。プレート１は、円形でなく、プレート１が収容される腕時計ケースの幾何学的構成などに応じて、長方形などであってもよいことは明らかである。
【００１８】
単純化された実施形態の１つでは、バックライトモジュール２は、光源が発生させた光が入射される光ガイド６でできている。図に示す例において、光源は、一又は複数の発光ダイオードで作られたＬＥＤ細長片８で形成され、これは、光ガイド６に光学的につながれている。この光源の例が単なる例であって、当業者であれば、添付の請求の範囲によって定められる本考案の範囲から逸脱せずに、他の種類の光源を想起することができることは明らかである。
【００１９】
ＬＥＤ細長片８は、その電力のために、２つの電気接続端子１０を有し、これを介して、ＬＥＤ細長片８が、プレート１内に配置されたハウジング１４に収容された電気エネルギー源に、２つの電気コンタクトばね１２によって接続されている。ＬＥＤ細長片８は、さらに、その電源を制御するために必要な電子手段を有する。
【００２０】
光ガイド６は、反射性フィルム１６が接合される下側表面６Ａと、及び拡散性フィルム１８が接合される上側表面６Ｂとを有する。ＬＥＤ細長片８が発生させる光は、光ガイド６の全体にわたって伝搬し、光ガイド６の上側表面６Ｂにおいて少なくとも配置されている抽出構造体２０によって光ガイド６から抽出される。
【００２１】
図に示す例において、光ガイド６は実質的に長方形である。光ガイド６は、要求に応じて、この長方形と異なっていてもよく、例えば、正方形、円形であってもよいことは明らかである。
【００２２】
プレート１内には、２つの直線状の溝２２が設けられており、これらの溝２２には、可撓性コネクター２４が挿入される。これは、例えば、登録商標Ｚｅｂｒａとして販売されているものである。これらの可撓性コネクター２４は、デジタル情報表示デバイス４と電子制御回路２６との間の電気接続を確実にするように意図されている。この電子制御回路２６は、プレート１の下側部分の内側に収容されたプリント回路基板３０の下側面２８にマウントされている（図３を参照）。
【００２３】
上側においては、プレート１には、複数の固定用スタッド３２（図に示す例において、４つ）と、及び２つの直径方向に反対側のセンタリング及びアライメント用スタッド３４も設けられている。対応する手法で、光ガイド６には、センタリング及びアライメント用スタッド３４が係合する２つの穴３４Ａと、固定用スタッド３２を受けるように意図されている４つの穴３２Ａとが設けられている。光ガイド６が適所にセットされる際には、熱溶解する固定用スタッド３２によって動けなくされる。
【００２４】
上記のように、プレート１の下側に、プリント回路基板３０がマウントされる（図３を参照）。このプリント回路基板３０は、デジタル情報表示デバイス４用の電子制御回路２６を支え、このプリント回路基板３０は、プレート１に対してセンタリングされ、プレート１と一体的な３つのスタッド３６によって熱溶接によってプレート１に固定される。プリント回路基板３０上に配置している導電路３８は、特に、可撓性コネクター２４を介して電子制御回路２６をデジタル情報表示デバイス４に電気的に接続するように用いられる。他の電子部品４０も、計時器の適正動作に必要であり、プリント回路基板３０にマウントされている。
【００２５】
もちろん、本考案は、上記の実施形態に制限されず、当業者であれば、添付の請求の範囲によって定められる本考案の範囲から逸脱せずに、様々な単純な変更及び変種を想起することができるであろう。なお、上記のプレート１は、腕時計製造分野の感覚におけるプレートである。すなわち、計時器において、ブリッジ、棒、及びムーブメントの様々な他の部分を支持するプレートのことである。実際に、上記から明らかなように、プレート１は、バックライトモジュール２を支えることに加えて、バッテリーを収容するハウジング１４と、電子制御回路２６によって生成されるコマンドをデジタル情報表示デバイス４に送信するように用いられる可撓性コネクター２４をガイドする溝２２とを有し、また、プリント回路基板３０を支える。結果的に、本考案に係るプレート１は、単にバックライトモジュール２をマウントすることに用いられるフレームであるだけでなく、腕時計製造分野の感覚におけるプレートでもある。すなわち、計時器用ムーブメントの部品を支えている。
【符号の説明】
【００２６】
１  プレート
２  バックライトモジュール
４  デジタル情報表示デバイス
６  光ガイド
８  ＬＥＤ細長片
１４  ハウジング
１６  反射性フィルム
１８  拡散性フィルム
２０  抽出構造体
２６  電子制御回路
２８  下側面
３０  プリント回路基板
６Ａ  下側表面
６Ｂ  上側表面
【図１】
0003200536.tif 000003
【図２】
0003200536.tif 000004
【図３】
0003200536.tif 000005